(57)【要約】【課題】リモートデータ消去サービスの提供を受ける端末装置のＳＩＭを交換する際の手間を軽減することを目的とする。【解決手段】管理装置からリモートデータ消去サービスの提供を受ける端末装置であって、前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックするロック制御部と、前記端末装置をロックした後にパスワード情報の入力を受け付ける受付部と、受け付けた前記パスワード情報が、記憶している前記解除パスワード情報と同一であると判定されると、前記認識したＳＩＭ情報を前記記憶部に登録する登録部と、を有する端末装置が提供される。【選択図】図２
2018148498.tif 000002
【特許請求の範囲】
【請求項１】
管理装置からリモートデータ消去サービスの提供を受ける端末装置であって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックするロック制御部と、
前記端末装置をロックした後にパスワード情報の入力を受け付ける受付部と、
受け付けた前記パスワード情報が、記憶している前記解除パスワード情報と同一であると判定されると、前記認識したＳＩＭ情報を前記記憶部に登録する登録部と、
を有する端末装置。
【請求項２】
前記ロック制御部は、受け付けた前記パスワード情報が、記憶している前記解除パスワード情報と同一であると判定されると、前記端末装置のロックを解除する、
請求項１に記載の端末装置。
【請求項３】
前記受付部は、前記認識したＳＩＭ情報が、前記記憶部に記憶している複数の前記ＳＩＭ情報のいずれとも異なると判定されると、パスワード情報の入力を受け付ける、
請求項１又は２に記載の端末装置。
【請求項４】
前記受付部は、前記記憶部を参照して、前記端末装置にて認識したＳＩＭ情報が、記憶している前記ＳＩＭ情報と異なると前記管理装置により判定されると、パスワード情報の入力を受け付ける、
請求項１〜３のいずれか一項に記載の端末装置。
【請求項５】
管理装置からリモートデータ消去サービスの提供を受ける端末装置にＳＩＭを登録する処理をコンピュータに実行させるための登録処理プログラムであって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックする処理と、
前記端末装置をロックした後にパスワード情報の入力を受け付ける処理と、
受け付けた前記パスワード情報が、記憶している前記解除パスワード情報と同一であると判定されると、前記認識したＳＩＭ情報を前記記憶部に登録する処理と、
を含む登録処理プログラム。
【請求項６】
管理装置からリモートデータ消去サービスの提供を受ける端末装置にＳＩＭを登録する処理をコンピュータが実行する登録処理方法であって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックする処理と、
前記端末装置をロックした後にパスワード情報の入力を受け付ける処理と、
受け付けた前記パスワード情報が、記憶している前記解除パスワード情報と同一であると判定されると、前記認識したＳＩＭ情報を前記記憶部に登録する処理と、
を含む登録処理方法。
【発明の詳細な説明】
【技術分野】
【０００１】
本発明は、端末装置、登録処理プログラム及び登録処理方法に関する。
【背景技術】
【０００２】
ＰＣ（Personal Computer）等の端末装置の盗難や紛失による情報漏えい対策として、例えば、事故発生後、端末装置に記憶されているデータを遠隔的に消去可能なＣＬＥＡＲＳＵＲＥ（登録商標）のサービスが提案されている（例えば、非特許文献１を参照）。また、携帯電話を紛失した際、遠隔操作で携帯電話の操作キーをロックして携帯電話の不正使用を防止する技術が提案されている。（例えば、特許文献１を参照）。
【０００３】
上記サービスでは、端末装置を不正に入手した者が、その端末装置に取付けられたＳＩＭを取り換えることで、正規の端末装置の利用者からの要求による、サーバ装置から端末装置のＨＤＤの中のデータを消去するコマンドを受けつけない様にすることを防止する。このために、端末装置に予め登録されているＳＩＭと、その端末装置に取り付けられているＳＩＭとが異なる場合は、その端末装置を起動できないようにする仕組みを持たせている。
【先行技術文献】
【非特許文献】
【０００４】
【非特許文献１】リモートデータ消去  ＣＬＥＡＲＳＵＲＥ（クリアシェア）  ３Ｇ／ＬＴＥご紹介  http://www.fmworld.net/biz/fmv/lifebook/clearsure/
【特許文献】
【０００５】
【特許文献１】特開２００８−２７８１０８号公報
【特許文献２】特開２００９−１３４４４２号公報
【特許文献３】特開２００９−１５１７１７号公報
【特許文献４】国際公開第２０１２／１０５０３１号
【発明の概要】
【発明が解決しようとする課題】
【０００６】
しかしながら、上記の仕組みでは、正規の利用者が端末装置に取り付けるＳＩＭを交換する必要が生じたときに、登録していないＳＩＭを端末装置に挿入すると、端末装置が起動しなくなる。このため、一旦、上記の仕組みを無効化する処理を行ってから、端末装置に未登録のＳＩＭを挿入して、挿入した新しいＳＩＭをサーバ装置に登録する必要があるため、手間がかかる。
【０００７】
そこで、１つの側面では、本発明は、リモートデータ消去サービスの提供を受ける端末装置のＳＩＭを交換する際の手間を軽減することを目的とする。
【課題を解決するための手段】
【０００８】
１つの実施態様では、管理装置からリモートデータ消去サービスの提供を受ける端末装置であって、前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックするロック制御部と、前記端末装置をロックした後にパスワード情報の入力を受け付ける受付部と、受け付けた前記パスワード情報が、記憶している前記解除パスワード情報と同一であると判定されると、前記認識したＳＩＭ情報を前記記憶部に登録する登録部と、を有する端末装置が提供される。
【発明の効果】
【０００９】
１つの側面では、本発明は、リモートデータ消去サービスの提供を受ける端末装置のＳＩＭを交換する際の手間を軽減することができる。
【図面の簡単な説明】
【００１０】
【図１】端末装置のＳＩＭを交換する際の従来動作の一例を示すフローチャート。
【図２】一実施形態に係る端末装置のハードウェア構成の一例を示す図。
【図３】一実施形態に係る端末装置及び管理サーバの記憶領域に記憶されたデータの一例を示す図。
【図４】一実施形態に係る端末装置の機能構成の一例を示す図。
【図５】端末装置に未登録のＳＩＭを挿入した場合の従来動作の一例を示すフローチャート。
【図６】第１実施形態に係る端末装置のＳＩＭを交換する際の登録処理の一例を示すフローチャート。
【図７】第２実施形態に係る端末装置のＳＩＭを交換する際の登録処理の一例を示すフローチャート。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
【００１２】
［リモートデータ消去サービス］
情報漏えい対策として、例えば、事故発生後、端末装置に記憶されているデータを遠隔的に消去可能なＣＬＥＡＲＳＵＲＥ（登録商標）のサービス（以下、「リモートデータ消去サービス」という。）がある。リモートデータ消去サービスには、端末装置に設けられたＨＤＤの中のデータを遠隔的に消去するサービスと、端末装置を遠隔的にロックするサービスとが含まれる。
【００１３】
リモートデータ消去サービスを利用するには、端末装置が最初に初期登録（以下、「アクティベーション」ともいう。）を行う必要がある。このアクティベーションを行う際には、端末装置に固有の端末情報に対応付けて、端末装置に取り付けられたＳＩＭカードの情報（以下、「ＳＩＭ情報）という。）が登録される。
【００１４】
リモートデータ消去サービスにて提供される端末装置のロックの指示やＨＤＤのデータ消去の指示は、キャリア（通信事業者）が提供するショートメールサービス（以下、「ＳＭＳ」という。）のコマンドとして、管理サーバに登録されているＳＩＭ電話番号に対して送信される。このため、初期登録されたＳＩＭ電話番号と異なるＳＩＭ電話番号のＳＩＭが端末装置に挿入されている場合には、リモートデータ消去サービスを受けることができない。
【００１５】
また、登録されているＳＩＭ以外のＳＩＭが端末装置に挿入されたり、ＳＩＭが端末装置から抜かれている場合には、端末装置をロックして起動できないようにする仕組みがある。これは、端末装置のロックの指示や端末装置の内部に記憶されているデータ消去の指示を回避して、紛失された端末装置が不正に使用されることのないようにするためである。そのため、端末装置に対して利用者が予め登録したＳＩＭと別のＳＩＭを使用したい場合、一度、登録されているＳＩＭの登録解除（以下、「ディアクティベーション」ともいう。）を行い、それから新しいＳＩＭで再度アクティベーションしないと端末装置を使用することすらできない。
【００１６】
例えば、図１にリモートデータ消去サービスの提供を受ける端末装置に取付けられたＳＩＭカードを交換する際の従来動作の一例を示す。前提として、サービス契約フラグがオンされ、端末装置へのリモートデータ消去サービスは有効な状態である（ステップＳ１）。この状態において、まず、端末装置のＳＩＭを交換する際、初期登録時のＳＩＭについてディアクティベーションが行われる（ステップＳ２）。次に、サービス契約フラグがオフされ、当該端末装置へのリモートデータ消去サービスを無効にする（ステップＳ３）。
【００１７】
次に、利用者が端末装置に新たに登録するＳＩＭカードを挿入すると（ステップＳ４）、アクティベーションが実行される（ステップＳ５）。その後、サービス契約フラグがオンされ、端末装置へのリモートデータ消去サービスを有効にする（ステップＳ６）。
【００１８】
以下、上記のアクティベーション（ＳＩＭ登録）及びディアクティベーション（ＳＩＭ登録解除）について説明する。
【００１９】
まず、アクティベーション（初期登録）について説明する。利用者が、リモートデータ消去サービスの提供をうけるために、初期登録を行う端末装置にＳＩＭを挿入し、端末装置の電源をオンすると、端末装置が起動する。端末装置の起動処理が完了すると、ＯＳが立ち上がり、ＯＳ上の初期登録用のアプリケーション（登録アプリケーション）のプログラムが起動し、ＣＰＵ（Central Processing Unit）の制御の下で動作する。起動した登録アプリケーションは、端末装置の通信モジュール（WAN Module）に格納されたＳＩＭ情報（ＳＩＭ電話番号、ＰＩＮ番号等）及び端末情報（装置型名、装置シリアル番号、ＨＤＤシリアル番号等）を取得する。
【００２０】
利用者が契約情報（ユーザＩＤ、パスワード等）を入力し、アクティベーションの実行ボタンが押下されると、登録アプリケーションは、契約情報を受け付け、アクティベーションを実行する。登録アプリケーションは、管理サーバと接続し、管理サーバに登録されている契約情報と照合する。照合の結果、契約情報が同一であると判定した場合、登録アプリケーションは、通信モジュールから取得したＳＩＭ情報及び端末情報を、契約情報に対応付けて管理サーバに登録する。このときのデータの送信はＳＭＳではなく、有線ＬＡＮ経由のネットワークで送信される。
【００２１】
登録アプリケーションは、管理サーバから正常登録完了の通知を受けると、ＣＰＵと独立して動作するコントローラであるＥＣ（Embedded Controller）にＳＩＭ電話番号及びパスワードを通知する。
【００２２】
ＥＣは、ＥＣの内部にＳＩＭ電話番号及びパスワードを記録する。ＥＣは、ＡＴコマンドを通信モジュールに送信し、通信モジュールの内部に記憶されたサービス契約フラグをオン（有効）に設定し、リモートデータ消去サービスを有効にする。また、ＥＣは、内部に記憶するサービス契約フラグをオン（有効）に設定する。
【００２３】
登録アプリケーションは、ＥＣのサービス契約フラグがオンに設定されていることを確認後、管理サーバに端末装置のアクティベーション（登録）が完了したことを通知する。これにより、管理サーバにおいて端末装置に対するリモートデータ消去サービスの提供状態は「有効」になる。端末装置１０を再起動してアクティベーションを完了する。
【００２４】
次に、登録解除（ディアクティベーション）について説明する。リモートデータ消去サービスの登録（アクティベーション）が完了している端末装置に、利用者が登録済みのＳＩＭカードを挿入し、ＯＳが起動されると、端末装置は、有線ＬＡＮを介して管理サーバに接続される。管理サーバは、ディアクティベーションを実行する。
【００２５】
まず、ＣＰＵの制御の下、ＯＳ上の登録アプリケーションは、「最新の状況を報告する」動作を実行する。次に、登録アプリケーションは、管理サーバからのディアクティベーション通知を受信し、ＥＣにディアクティベーションを通知する。
【００２６】
ＥＣは、ＡＴコマンドを通信モジュールに送信し、通信モジュールの内部に記憶されたサービス契約フラグをオフに設定し、リモートデータ消去サービスの機能を無効にする。
【００２７】
ＥＣは、内部に記録したＳＩＭ電話番号を消去し、サービス契約フラグをオフに変更する。ＥＣは、登録アプリケーションにディアクティベーションの完了を通知する。登録アプリケーションは、ＥＣの通知を受けてサービス契約フラグをオフに設定し、管理サーバ側の登録情報のリモートデータ消去サービスの提供状態を「無効」に変更する。端末装置を再起動してディアクティベーションを完了する。
【００２８】
ディアクティベーションを完了した後、登録されているＳＩＭと別のＳＩＭでアクティベーションを行う場合は、アクティベーションを行う前に、管理サーバ側に登録されている端末情報及びＳＩＭ情報を削除する必要がある。登録情報に変更がない場合は、これらの情報を削除する必要はない。
【００２９】
以上に説明したディアクティベーションやアクティベーション時は管理サーバとの通信を必要とするため、ネットワークを介した接続が必要であるが、これらの処理中には無線ＷＡＮ（Wide Area Network）での通信が構造上できなくなる。このため、上記のように、端末装置と管理サーバとを無線ＷＡＮ以外のネットワークとして有線ＬＡＮを介して接続しておく必要がある。
【００３０】
このように、端末装置のＳＩＭカードを交換する際には、再度アクティベーションをする場合、有線ＬＡＮが必要になることや、管理者権限が必要になることに加え、手順を間違えると復旧に時間がかかるなど、従来の動作ではかなりの手間がかかるという課題がある。
【００３１】
今後はＳＩＭフリーになり、利用可能なキャリアに制限がなくなると、端末装置のＳＩＭを入れ替えるケースが増えていくことが予想される。これを考慮して、リモートデータ消去サービスにおけるアクティベーション後のＳＩＭの入れ替えを容易にし、リモートデータ消去サービスの提供を受ける端末装置のＳＩＭを交換する際の手間を軽減することが望まれる。
【００３２】
そこで、本実施形態に係る端末装置では、初期登録時のＳＩＭと別のＳＩＭを利用する際に、再度アクティベーションを行わなくてもリモートデータ消去サービスがそのまま受けられる。これにより、リモートデータ消去サービスの提供を受ける端末装置のＳＩＭを交換する際の手間を軽減することができる。
【００３３】
［システム構成及び端末装置のハードウェア構成］
まず、本実施形態に係るシステム構成及び端末装置１０のハードウェア構成について、図２を参照しながら説明する。図２は、一実施形態に係るシステムの構成と、端末装置１０のハードウェア構成の一例を示す。本実施形態に係るシステムは、端末装置１０と管理サーバ２０とを有する。端末装置１０は、管理サーバ２０からリモートデータ消去サービスの提供を受ける。
【００３４】
管理サーバ２０は、リモートデータ消去サービスを提供する管理装置の一例である。端末装置１０は、リモートデータ消去サービスを利用するために、管理サーバ２０に予め登録されている（アクティベーション）。アクティベーションを行う際には、端末装置に固有の端末情報と、端末装置に取り付けられたＳＩＭカードの情報（以下、「ＳＩＭ情報）という。）が対応付けて登録される。端末情報には、装置型名、及び装置シリアル番号及びＨＤＤシリアル番号が含まれる。ＳＩＭ情報には、電話番号及びＰＩＮ（Personal Identification Number）コードが含まれる。装置シリアル番号は、端末装置に付与されたシリアル番号であり、ＨＤＤシリアル番号は、端末装置の中のＨＤＤに付与されたシリアル番号である。ＰＩＮコードは、ＳＩＭカード用の暗証番号である。
【００３５】
端末装置１０と管理サーバ２０とは、無線ＷＡＮ（Wide Area Network）６０を介して接続されている。ディアクティベーションやアクティベーション時、端末装置１０は、管理サーバ２０との通信を必要とするため、ネットワークへの接続が必要であるが、これらの処理中には無線ＷＡＮ６０での通信が構造上できなくなる。このため、端末装置１０と管理サーバ２０とを無線ＷＡＮ６０以外のネットワークを介して接続しておく必要がある。このとき、無線ＬＡＮ（Local Area Network）を介したネットワーク接続が可能である。しかし、無線ＬＡＮでは、接続が不安定になる可能性があるため、トラブル回避のため有線ＬＡＮ６１を介した接続を実施するようにしている。なお、無線ＷＡＮ６０には、ＬＴＥ（Long Term Evolution）や３Ｇ等の通信規格を使用することができる。
【００３６】
端末装置１０の盗難や紛失時の遠隔操作の方法として、端末装置１０と管理サーバ２０の間にＳＭＳサーバ３０を介在させ、ＳＭＳで端末装置１０のＨＤＤ１５の中のデータを消去するコマンドを送信する方法が挙げられる。ＳＭＳサーバ３０は、インターネット等のネットワーク４０、５０を介して管理サーバ２０及び端末装置１０に接続されている。
【００３７】
ＳＭＳサーバ３０には、予め、端末装置１０のＳＩＭ情報を記憶させておく。ＳＭＳサーバ３０は、管理サーバ２０から端末装置１０のＨＤＤ１５の中のデータを消去する指示を受け付ける。ＳＭＳサーバ３０は、受け付けた指示に応じて、端末装置１０のＳＩＭ情報（ＳＩＭ電話番号）に対して、ＳＭＳでコマンドを送信し、端末装置１０にＨＤＤ１５の中のデータの消去を指示する。端末装置１０は、指示されたデータの消去を実行し、その実行結果と位置情報等を返信する。端末装置１０から返信された実行結果と位置情報等は、ＳＭＳサーバ３０を経由して管理サーバ２０に送られる。以上、データ消去の実行方法について簡単に説明したが、端末装置１０の盗難や紛失時の端末装置１０のロックについても同じ手段を用いて実行することができる。
【００３８】
端末装置１０は、ＰＣ、スマートフォン、タブレット型端末等の電子機器であり得る。端末装置１０は、通信モジュール１１、ＣＰＵ１２、ＰＣＨ（Platform Controller Hub）１３、ＥＣ１４、ＨＤＤ１５、ＵＳＢバススイッチ１６、ディスプレイ１７、電源１８及びバッテリ１９を有する。
【００３９】
通信モジュール１１は、無線ＷＡＮ６０を介して管理サーバ２０とデータ通信を行うための機能を有する。ＳＩＭスロット１１０にＳＩＭカード１２０が挿入されると、通信モジュール１１は、自機の端末情報に対応させて挿入されたＳＩＭカード１２０のＳＩＭ情報をＥＥＰＲＯＭ（Electronically Erasable and Programmable Read Only Memory）１１１に記憶する。
【００４０】
図３は、本実施形態に係る端末装置１０及び管理サーバ２０の記憶領域に記憶されたデータの一例を示す。通信モジュール１１に内蔵されるＥＥＰＲＯＭ１１１には、端末情報１１２とＳＩＭ情報１１３とが記憶されている。図３では、端末情報１１２の一例として、装置型名、装置シリアル番号、ＨＤＤシリアル番号が記憶されている。また、ＳＩＭ情報１１３の一例として、ＳＩＭ電話番号及びＰＩＮ番号が記憶されている。その他、ＥＥＰＲＯＭ１１１には、管理サーバ電話番号１１４、ＳＩＭのＰＩＮ解除コード１１５及びサービス契約フラグ１１６が記憶されている。
【００４１】
図２に戻り、電源１８がオンしている間、端末装置１０の各部には電力が供給される。端末装置１０には、電源１８に接続されたバッテリ１９が設けられている。通信モジュール１１及びＥＣ１４には、端末装置１０の電源１８がオフになっても、バッテリ１９からの電力が供給される。よって、端末装置１０の電源がオフした状態においても、通信モジュール１１は、管理サーバ２０からのデータ消去の指示を随時待機することができる。
【００４２】
通信モジュール１１は、ＳＭＳサーバ３０からショートメールサービスでデータ消去指示を受信すると、ＳＭＳの受信イベントをＥＣ１４に通知する。通信モジュール１１は、データ消去指示に対する実行結果をショートメールサービスで通知する。ここで、ＨＤＤ１５の中のデータは暗号化されている。よって、ＥＣ１４は、管理サーバ２０からのデータ消去指示に対して、実際にＨＤＤ１５の中のデータを消去するのではなく、暗号化されたデータを復号するための暗号鍵を消去することにより、ＨＤＤ１５に保存されたデータを復元できないようにする。
【００４３】
ＣＰＵ１２は、ＨＤＤ１５に記憶されたＯＳ上で動作する登録アプリケーションを読み出し、登録アプリケーションを起動させてアクティベーションやディアクティベーションを実行する演算装置である。
【００４４】
ＥＣ１４は、ＣＰＵ１２と独立して稼働可能なコントローラである。ＥＣ１４は、通信モジュール１１のリセットを制御する。また、ＥＣ１４は、本実施形態に係る登録処理による端末装置１０におけるＳＩＭの交換と、ＳＩＭの有効及び無効とを制御する。
【００４５】
ＥＣ１４は、アクティベーション時にＥＥＰＲＯＭ１４１にＳＩＭ情報を格納する。図３に示すように、アクティベーション時にＥＥＰＲＯＭ１４１には、自機の端末情報１０の端末情報１４２とＳＩＭ情報（ＳＩＭ電話番号（１）１４３）とが対応付けて記憶される。
【００４６】
また、本実施形態に係る端末装置１０のＳＩＭを交換する際の登録処理において、交換後の新しいＳＩＭ情報（ＳＩＭ電話番号（２）１４４）、端末ロック解除パスワード１４５及びサービス契約フラグ１４６が記憶される。ＥＥＰＲＯＭ１４１には、本実施形態に係る端末装置１０のＳＩＭが交換されるたびに、ｎが一加算され、新たなＳＩＭ情報（ＳＩＭ電話番号（ｎ：ｎ≧２）１４４）が登録され得る。
【００４７】
図２に戻り、ＰＣＨ１３は、ＣＰＵ１２及びＥＣ１４に接続されている。また、ＰＣＨ１３は、ＵＳＢバススイッチ１６を介して通信モジュール１１に接続され得る。ＰＣＨ１３は、ＣＰＵ１２の制御によりＣＰＵ１２から所定の指示を受け付けると、該当指示をＥＣ１４や通信モジュール１１に転送する。
【００４８】
ＵＳＢ（Universal Serial Bus）バススイッチ１６は、ＵＳＢ  Ｉ／Ｆ（インターフェース）を用いてＥＣ１４の制御により通信モジュール１１とのＵＳＢ接続を、ＰＣＨ１３とＥＣ１４とのいずれかに切り替える。ディスプレイ１７はパスワード等の入力画面を表示する。
【００４９】
なお、図３には、図２に示す管理サーバ２０が保持する管理情報ＤＢ２１に記憶される情報の一例が示されている。管理情報ＤＢ２１は、端末情報２２とＳＩＭ電話番号（１）２３とを対応付けて記憶している。また、管理情報ＤＢ２１には、本実施形態に係る端末装置１０のＳＩＭを交換する際の登録処理において、交換後の新しいＳＩＭ情報（ＳＩＭ電話番号（２）２４、端末ロック解除パスワード２５及びＳＩＭのＰＩＮ解除コード２６が記憶される。本実施形態に係る端末装置１０のＳＩＭが交換されるたびに、ｎが一加算され、新たなＳＩＭ情報（ＳＩＭ電話番号（ｎ：ｎ≧２）２４）が登録され得る。
【００５０】
以上に示したように、本実施形態に係る端末装置１０及び管理サーバ２０は、複数のＳＩＭ電話番号の登録を可能とする。ＳＩＭ電話番号（２）〜ＳＩＭ電話番号（ｎ）（ｎ≧２）の追加登録は、アクティベーション後、ＳＩＭスロット１１０に挿入されるＳＩＭカード１２０が交換され、端末装置１０がアクティベーション時に登録したＳＩＭと異なるＳＩＭを認識したときに実行される。その際、端末装置１０は、認識したＳＩＭ電話番号と端末情報とをＳＭＳサーバ３０に送信し、ＳＭＳサーバ３０は、送信されたＳＩＭ電話番号と端末情報とをＳＭＳで管理サーバ２０に送信する。
【００５１】
管理サーバ２０は、送信された端末情報が予め登録された端末装置１０であることを確認した場合、端末装置１０に対応して事前に登録した端末ロック解除パスワードを付したロック解除指示のコマンドをＳＭＳでＳＭＳサーバ３０に返信する。
【００５２】
端末装置１０は、ＳＭＳサーバ３０から端末ロック解除パスワードを付したロック解除指示のコマンドを受け付ける。端末装置１０の利用者は、パスワード入力画面にてパスワードを入力すると、入力パスワードと端末ロック解除パスワードとが同一であるかが照合され、同一であると判定された場合、端末装置１０のロックが解除され、端末装置１０は使用可能になる。端末装置１０のロックが解除されると、端末装置１０は、ＳＩＭ情報を更新する。端末装置１０は、更新したＳＩＭ情報を付したロック解除通知のコマンドをＳＭＳサーバ３０を経由してＳＭＳで管理サーバ２０に送り、管理サーバ２０は、管理情報ＤＢ２１のＳＩＭ情報を更新する。
【００５３】
［端末装置の機能構成］
次に、本実施形態に係る端末装置１０の機能構成について、図４を参照しながら説明する。図４は、一実施形態に係る端末装置１０の機能構成の一例を示す。端末装置１０は、受付部６１、判定部６２、登録部６３、通信部６４、ロック制御部６５、データ消去制御部６６、サービス有効化部６７及び記憶部６８を有する。
【００５４】
受付部６１は、端末装置１０の起動に応じて認識したＳＩＭ情報が、登録したＳＩＭ情報と異なると判定されると、ロック解除のための端末ロック解除パスワードの入力を受け付ける。なお、複数のＳＩＭ情報が登録されている場合、受付部６１は、端末装置１０の起動に応じて認識したＳＩＭ情報が、登録した複数のＳＩＭ情報のうちのいずれとも異なると判定されると、パスワード情報の入力を受け付ける。受付部６１の機能は、例えば、ＥＣ１４により実現可能である。
【００５５】
判定部６２は、端末装置１０が認識したＳＩＭ情報が、登録したＳＩＭ情報と同一か否かを判定する。判定部６２は、受け付けた端末ロック解除パスワードが、登録した端末ロック解除パスワードと同一か否かを判定する。判定部６２の機能は、例えば、ＥＣ１４により実現可能である。
【００５６】
登録部６３は、端末装置１０の端末情報に対応付けてＳＩＭ情報を登録する。登録部６３は、受け付けた端末ロック解除パスワードが、登録した端末ロック解除パスワードと同じであると判定されると、認識したＳＩＭ情報を登録する。登録部６３の機能は、例えば、ＨＤＤ１５にインストールされた登録アプリケーションのプログラムが、ＣＰＵ１２に実行させる処理又はＥＣ１４により実現可能である。
【００５７】
通信部６４は、無線及び有線により管理サーバ２０と通信を行う。通信部６４の機能は、例えば、通信モジュール１１により実現可能である。
【００５８】
ロック制御部６５は、端末装置１０の起動に応じて認識したＳＩＭ情報が、登録したＳＩＭ情報と異なると判定された場合、端末装置１０をロックする。ロック制御部６５の機能は、例えば、ＥＣ１４により実現可能である。
【００５９】
データ消去制御部６６は、管理サーバ２０からのデータ消去指示に対して、ＨＤＤ１５の暗号鍵を書き替えることで、ＨＤＤ１５に保存されたデータを復元できないようにする。
【００６０】
サービス有効化部６７は、端末装置１０に対してリモートデータ消去サービスが有効な状態か、無効な状態かを示すサービス契約フラグを制御する。サービス有効化部６７は、端末装置１０に対してリモートデータ消去サービスが有効な場合、サービス契約フラグをオンし、端末装置１０に対してリモートデータ消去サービスが無効な場合、サービス契約フラグをオフする。ロック制御部６５、データ消去制御部６６及びサービス有効化部６７の各機能は、例えば、ＥＣ１４の処理により実現される。
【００６１】
記憶部６８は、端末情報、ＳＩＭ情報、端末ロック解除パスワード、サービス契約フラグ等を記憶する。また、記憶部６８は、登録処理プログラム６９を記憶する。記憶部６８の機能は、例えば、ＥＥＰＲＯＭ１１１及びＥＥＰＲＯＭ１４１等により実現可能である。
【００６２】
なお、図４は機能に着目したブロック図を描いており、これらの機能ブロックで示した各部のソフトウエアを実行するプロセッサはハードウェアである。
【００６３】
［サービス有効時に未登録のＳＩＭが挿入された場合の従来動作］
比較のために、リモートデータ消去サービスが有効のときに、登録されていないＳＩＭカード１２０を挿入した場合の従来動作を図５を参照して説明する。その後、リモートデータ消去サービスが有効のときに、登録されていないＳＩＭカード１２０が挿入された場合の第１実施形態に係る端末装置１０の動作を、図６を参照して説明する。
【００６４】
従来の端末装置の動作では、リモートデータ消去サービスが有効な状態で、図５の処理が開始されると、端末装置は、ＳＩＭスロットに挿入されているＳＩＭカードを認識する（ステップＳ９０）。次に、端末装置は、認識したＳＩＭカードが示すＳＩＭ情報が登録されているＳＩＭ情報と同一か否かを判定する（ステップＳ９１）。認識したＳＩＭ情報が登録されているＳＩＭ情報と同一であると判定した場合、本処理を終了する。このとき、リモートデータ消去サービスは有効な状態を保っている。
【００６５】
一方、ステップＳ９１において、端末装置は、認識したＳＩＭ情報が登録されているＳＩＭ情報と同一でないと判定した場合、端末装置をロックする（ステップＳ９２）。そして、ステップＳ９０に戻り、端末装置は、ステップＳ９１にて登録されているＳＩＭと同一のＳＩＭが認識されるまで、ステップＳ９０〜Ｓ９２の処理を繰り返す。
【００６６】
［サービス有効時に未登録のＳＩＭが挿入された場合の第１実施形態の動作］
これに対して第１実施形態に係る端末装置１０では、登録されていないＳＩＭが端末装置１０に挿入された場合、主にＥＣ１４により以下の登録処理が実行される。前提として、サービス契約フラグ１４６がオンに設定され、リモートデータ消去サービスが有効な状態である。
【００６７】
まず、受付部６１は、ＳＩＭスロット１１０に挿入されているＳＩＭカード１２０を認識する（ステップＳ１０）。このステップＳ１０の認識処理は、通信モジュール１１が電源がオンされた直後、つまり、端末装置１０がシャットダウン状態（Ｇ３）から電源ＳＷ１８がオンされた直後に行われる。言い換えれば、ＯＳが起動している状態（Ｓ０）では、ＳＩＭカード１２０を入れ替えてもＳＩＭを認識することができない。ただし、ＯＳが起動している状態（Ｓ０）の状態でもＳＩＭを検出してから通信モジュール１１の電源をオフした状態からオンした状態へ移行させる仕組みがあれば、ＯＳが起動している状態（Ｓ０）の状態において本実施形態に係る端末装置１０の本機能を利用することができる。
【００６８】
次に、判定部６２は、認識したＳＩＭカード１２０のＳＩＭ情報が、ＥＥＰＲＯＭ１４１に登録されているＳＩＭ情報と同一か否かを判定する（ステップＳ１１）。例えば、図３に示すように、ＥＣ１４が有するＥＥＰＲＯＭ１４１に記憶されたＳＩＭ情報がＳＩＭ電話番号（１）１４３のみの場合、判定部６２は、例えば認識したＳＩＭ電話番号とＳＩＭ電話番号（１）１４３とを比較して、同一であるか否かを判定する。
【００６９】
しかしながら、ＥＥＰＲＯＭ１４１に記憶されたＳＩＭ情報がＳＩＭ電話番号（１）１４３及びＳＩＭ電話番号（２）〜ＳＩＭ電話番号（ｎ）（ｎ≧２）１４４の複数である場合、判定部６２は、例えば認識したＳＩＭ電話番号とＳＩＭ電話番号（１）〜ＳＩＭ電話番号（ｎ）のそれぞれについて、認識したＳＩＭ電話番号と同一であるか否かを判定する。
【００７０】
そして、判定部６２は、登録されている複数のＳＩＭ電話番号のいずれかと同一であると判定した場合、本処理を終了する。一方、判定部６２が、登録されている複数のＳＩＭ電話番号のいずれとも同一でないと判定した場合又はＳＩＭ電話番号が認識されていないと判定した場合、ロック制御部６５は、端末装置１０をロックし、通信部６４は、管理サーバ２０に新たに認識したＳＩＭ情報と端末情報を送信する（ステップＳ１２）。
【００７１】
なお、ステップＳ１２の送信には、ＳＭＳが利用され、ＳＭＳサーバ３０を介してＳＩＭ情報及び対応する端末情報が管理サーバ２０に送られる。ここで、ＳＩＭに対応するキャリアが変わる場合、通信モジュール１１のファームウェアの書き換えが必要になる。これは、キャリア毎にサポートしているバンド帯域が異なるため、各キャリアに合わせたファームウェアにする必要があるからである。
【００７２】
また、この時点ではＳＩＭのプロファイル設定ができていないため、ＬＴＥを用いた管理サーバ２０への接続はできない。よって、ここでは、プロファイル設定しなくても接続可能な３Ｇで接続してＳＭＳでコマンドを送信する。
【００７３】
例えば、現在３ＧのバンドＩが共通して使える国内キャリアでは、ＳＩＭに対応するキャリアが変わってもファームウェアを切り替える必要はなく、バンドＩを使ってＳＭＳを送信することができる。３Ｇをサポートしていないキャリアにおいても、ファームウェアを切り替えたり、今後３ＧのバンドＩが共通して使えるようになることで、本実施形態に係るシステムを、国内の全キャリアで使用することが技術的に可能である。
【００７４】
判定部６２は、登録されているＳＩＭ電話番号のいずれとも同一でないと判定した場合、端末装置１０をロックし、通信部６４は、ＳＭＳで管理サーバ２０にＳＩＭ情報と端末情報を送信する（ステップＳ１２）。ステップＳ１２において、通信部６４は、管理サーバ２０にＳＩＭ情報と端末情報とＳＩＭのＰＩＮ番号を送信してもよい。
【００７５】
管理サーバ２０は、ＳＩＭ情報と端末情報を受信する（ステップＳ１１０）。端末装置１０が、ＳＩＭ情報と端末情報とＳＩＭのＰＩＮ番号を送信した場合には、管理サーバ２０は、ＳＩＭ情報と端末情報とＳＩＭのＰＩＮ番号を受信する。
【００７６】
管理サーバ２０は、受信した端末情報が管理情報ＤＢ２１に登録されているかを判定する（ステップＳ１１１）。具体的には、端末情報は、装置型名、装置シリアル番号、ＨＤＤシリアル番号等、端末装置に固有の情報である。管理サーバ２０は、受信した端末情報が管理情報ＤＢ２１に登録されていないと判定した場合、何もしない。一方、管理サーバ２０は、受信した端末情報が管理情報ＤＢ２１に登録されていると判定した場合、パスワード入力許可通知のコマンドをＳＭＳで送信する（ステップＳ１１２）。
【００７７】
通信部６４は、管理サーバ２０から送信されたパスワード入力許可通知のコマンドをＳＭＳで受信する（ステップＳ１３）。次に、受付部６１は、ディスプレイ１７にパスワード入力画面を表示し（ステップＳ１４）、利用者が入力したロック解除のパスワードを受け付ける（ステップＳ１５）。
【００７８】
なお、端末装置のロックを解除するためのパスワード（端末ロック解除パスワード）はリモートデータ消去サービスを受けるために、端末装置１０が行う初回のアクティベーション時に、ＥＥＰＲＯＭ１４１に登録されている。
【００７９】
次に、ロック制御部６５は、受け付けたロック解除のパスワードがＥＥＰＲＯＭ１４１に登録した端末ロック解除パスワードと同じであるか否かを判定する（ステップＳ１６）。ロック制御部６５は、受け付けたパスワードがＥＥＰＲＯＭ１４１に登録した端末ロック解除パスワードと同一であると判定した場合、端末装置１０のロックを解除し、ＯＳを起動する（ステップＳ１７）。判定部６２は、受け付けたパスワードがＥＥＰＲＯＭ１４１に登録した端末ロック解除パスワードと同一でないと判定した場合、ステップＳ１４に戻り、正しいパスワードが入力されるまで、ステップＳ１４〜Ｓ１６の処理を繰り返す。
【００８０】
ステップＳ１７にてＯＳが起動されると、登録部６３は、ＳＭＳサーバ３０からの要求に従い、無線ＷＡＮ６０を使用するために、ＳＩＭのプロファイルを設定とＰＩＮの設定を完了させる（ステップＳ１８）。次に、登録部６３は、ＥＣ１４のＳＩＭ情報を更新する（ステップＳ１９）。これにより、新たに認識したＳＩＭ電話番号がＥＥＰＲＯＭ１４１に記憶される。このとき、既に登録されている別のＳＩＭ情報は削除する必要はなく、例えば新たに認識したＳＩＭ電話番号は、ＳＩＭ電話番号（２）〜ＳＩＭ電話番号（ｎ）のいずれかに登録される。
【００８１】
ＥＥＰＲＯＭ１４１へのＳＩＭ電話番号の更新が完了した場合、通信部６４は、完了通知のコマンドをＳＭＳで管理サーバ２０に送信し（ステップＳ２０）、本処理を終了する。管理サーバ２０には、完了通知のコマンドとともに、ＳＩＭ電話番号及び端末情報が送信される。管理サーバ２０は、受信したＳＩＭ電話番号を端末装置１０の端末情報に対応付けて管理情報ＤＢ２１に登録する（ステップＳ１１３）。
【００８２】
端末装置１０を不正に入手した者が、その端末装置１０のＳＩＭを取り換えることで、正規の端末装置１０の利用者からの要求による、サーバ装置から端末装置１０のデータを消去するコマンドを受けつけない様にすることを防止する。このため、端末装置１０に予め登録されているＳＩＭ情報と、その端末装置１０に取り付けられているＳＩＭカードのＳＩＭ情報とが異なる場合、その端末装置１０を起動できないようにする仕組みがある。これまでの仕組みでは、管理サーバ２０に登録できるＳＩＭ電話番号は１つだけであった。このため、アクティベーション後、端末装置１０が認識したＳＩＭ情報が、予め登録されているＳＩＭ情報と別であるとされると、端末装置１０に予め登録されているＳＩＭと、その端末装置１０に装着されたＳＩＭとが異なると認識され、端末装置１０を起動できないようにロックがかかるようになっていた。
【００８３】
しかしながら、第１実施形態に係る登録処理では、ＳＩＭが交換された端末装置１０を起動した者が、正規の利用者かを確認できるまではその端末装置１０をロックした状態にする。その状態で、利用者が正規の利用者か否かの認証が行われる。認証の結果、正規の利用者であると判定された場合には、管理サーバ２０の有する、その端末装置１０のＳＩＭ情報を、更新する。本実施形態に係る端末装置１０では、ＥＥＰＲＯＭ１４１及び管理サーバ２０に複数のＳＩＭ電話番号が登録できる。このため、登録されている複数のＳＩＭ電話番号のうち、交換前のＳＩＭ電話番号から交換後のＳＩＭ電話番号に切り替えることができる。
【００８４】
これにより、第１実施形態に係る登録処理によれば、リモートデータ消去サービスの提供を受ける端末装置１０の利用者が、初回のアクティベーションにおいて登録したＳＩＭと異なるＳＩＭを使いたいときに、初回のディアクティベーションを一度行えばよく、その後、更にアクティベーションを行う必要はない。このため、リモートデータ消去サービスの提供を受ける端末装置１０のＳＩＭを交換する際の手間を軽減することができる。
【００８５】
［サービス有効時に未登録のＳＩＭが挿入された場合の第２実施形態の動作］
サービス有効時に未登録のＳＩＭが挿入された場合の第２実施形態に係る端末装置１０の動作について、図７を参照しながら説明する。第２実施形態においては、サービス有効時に登録されていないＳＩＭが端末装置１０に挿入された場合、管理サーバ２０を介さずにＥＣ１４により以下の登録処理が実行される。また、前提として、サービス契約フラグ１４６がオンに設定され、リモートデータ消去サービスが有効な状態である。
【００８６】
なお、図６の第１実施形態に係る登録処理と同じ処理を行うステップには、同じステップ番号を付すことにより、説明を簡略化する。
【００８７】
まず、受付部６１が、ＳＩＭスロット１１０に挿入されているＳＩＭカード１２０を認識する（ステップＳ１０）。判定部６２は、認識したＳＩＭカード１２０のＳＩＭ情報が、ＥＥＰＲＯＭ１４１に登録されているＳＩＭ情報と同一か否かを判定する（ステップＳ１１）。判定部６２は、登録されているＳＩＭ電話番号のいずれかと同一であると判定した場合、本処理を終了する。一方、判定部６２は、登録されているＳＩＭ電話番号と同一でないと判定した場合又はＳＩＭ電話番号が認識されていない場合、ロック制御部６５は、端末装置１０をロックする。そして、受付部６１は、ディスプレイ１７にパスワード入力画面を表示し（ステップＳ３０）、利用者が入力したロック解除のパスワードを受け付ける（ステップＳ１５）。
【００８８】
次に、ロック制御部６５は、受け付けたロック解除のパスワードがＥＥＰＲＯＭ１４１に登録した端末ロック解除パスワードと同じであるか否かを判定する（ステップＳ１６）。ロック制御部６５は、受け付けたパスワードがＥＥＰＲＯＭ１４１に登録した端末ロック解除パスワードと同じであると判定した場合、端末装置１０のロックを解除し、ＯＳを起動する（ステップＳ１７）。判定部６２は、受け付けたパスワードがＥＥＰＲＯＭ１４１に登録した端末ロック解除パスワードと同じでないと判定した場合、ステップＳ１４に戻り、正しいパスワードが入力されるまで、ステップＳ１４〜Ｓ１６の処理を繰り返す。
【００８９】
ステップＳ１７にてＯＳが起動されると、登録部６３は、ＳＭＳサーバ３０からの要求に従い、無線ＷＡＮ６０を使用するために、ＳＩＭのプロファイルを設定とＰＩＮの設定を完了させる（ステップＳ１８）。次に、登録部６３は、ＥＣ１４のＳＩＭ情報を更新する（ステップＳ１９）。これにより、新たに認識したＳＩＭ電話番号がＥＥＰＲＯＭ１４１に記憶される。このとき、既に登録されている別のＳＩＭ情報は削除する必要はなく、例えば新たに認識したＳＩＭ電話番号は、ＳＩＭ電話番号（２）〜ＳＩＭ電話番号（ｎ）のいずれかに登録される。
【００９０】
ＥＥＰＲＯＭ１４１へのＳＩＭ情報の更新が完了した場合、通信部６４は、完了通知のコマンドをＳＭＳで管理サーバ２０に送信し（ステップＳ２０）、本処理を終了する。完了通知のコマンドとともに、ＳＩＭ電話番号を含むＳＩＭ情報が送信されてもよい。この場合、管理サーバ２０は、受信したＳＩＭ電話番号を端末装置１０の端末情報に対応付けて管理情報ＤＢ２１に登録する（ステップＳ１１３）。
【００９１】
以上に説明したように、第２実施形態に係る登録処理によっても、リモートデータ消去サービスの提供を受ける端末装置１０の利用者が、初回のアクティベーションにおいて登録したＳＩＭと異なるＳＩＭを使いたいときに、初回のディアクティベーションを一度行えばよく、更にアクティベーションを行う必要はない。このため、リモートデータ消去サービスの提供を受ける端末装置１０のＳＩＭを交換する際の手間を軽減することができる。
【００９２】
また、アクティベーションをするには、有線ＬＡＮで端末装置１０と管理サーバ２０を接続する環境が必要になることや、管理者権限が必要になることなど、多くの準備が必要になるため、実際にアクティベーションを実行するために多くの時間を費やす。また、アクティベーション作業を行う現場のＳＥ（システムエンジニア）やＣＥ（カスタマーエンジニア）はアクティベーション作業に慣れている人が少なく、作業に多くの時間を費やすことが少なくない。その場合、ＳＥやＣＥだけでは対処できず、開発担当者も含めて作業することがあり、更に作業に多くの時間と人手を費やすことになる。
【００９３】
以上から、上記各実施形態において、リモートデータ消去サービス有効時に未登録のＳＩＭを挿入した場合の再度アクティベーションをしなくていいということは、エンドユーザだけでなくＳＥやＣＥのサポートの観点からも非常に有益である。
【００９４】
以上、端末装置、登録処理プログラム及び登録処理方法を上記実施形態により説明したが、本発明に係る端末装置、登録処理プログラム及び登録処理方法は上記実施形態に限定されるものではなく、本発明の範囲内で種々の変形及び改良が可能である。また、上記実施形態及び変形例が複数存在する場合、矛盾しない範囲で組み合わせることができる。
【００９５】
例えば、上記実施形態に係るシステムの構成は一例であり、本発明の範囲を限定するものではなく、用途や目的に応じて様々なシステム構成例があることは言うまでもない。
【００９６】
例えば、上記各実施形態に係る管理サーバ２０が有する管理情報ＤＢ２１に記憶された情報は、ネットワークを介して管理サーバ２０に接続されるクラウド上のサーバ等に格納されてもよい。
【００９７】
以上の説明に関し、更に以下の項を開示する。
（付記１）
管理装置からリモートデータ消去サービスの提供を受ける端末装置であって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックするロック制御部と、
前記端末装置をロックした後にパスワード情報の入力を受け付ける受付部と、
受け付けた前記パスワード情報が、記憶している前記解除パスワード情報と同一であると判定されると、前記認識したＳＩＭ情報を前記記憶部に登録する登録部と、
を有する端末装置。
（付記２）
前記ロック制御部は、受け付けた前記パスワード情報が、記憶している前記パスワード情報と同一であると判定されると、前記端末装置のロックを解除する、
付記１に記載の端末装置。
（付記３）
前記受付部は、前記認識したＳＩＭ情報が、前記記憶部に記憶している複数の前記ＳＩＭ情報のいずれとも異なると判定されると、パスワード情報の入力を受け付ける、
付記１又は２に記載の端末装置。
（付記４）
前記受付部は、前記ロックしている端末装置がリモートデータ消去サービスの提供対象として登録されていると前記管理装置により判定されると、パスワード情報の入力を受け付ける、
付記１〜３のいずれか一項に記載の端末装置。
（付記５）
管理装置からリモートデータ消去サービスの提供を受ける端末装置にＳＩＭを登録する処理をコンピュータに実行させるための登録処理プログラムであって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックする処理と、
前記端末装置をロックした後にパスワード情報の入力を受け付ける処理と、
受け付けた前記パスワード情報が、記憶している前記解除パスワード情報と同一であると判定されると、前記認識したＳＩＭ情報を前記記憶部に登録する処理と、
を含む登録処理プログラム。
（付記６）
受け付けた前記パスワード情報が、記憶している前記パスワード情報と同一であると判定されると、前記端末装置のロックを解除する、
付記５に記載の登録処理プログラム。
（付記７）
前記認識したＳＩＭ情報が、前記記憶部に記憶している複数の前記ＳＩＭ情報のいずれとも異なると判定されると、パスワード情報の入力を受け付ける、
付記５又は６に記載の登録処理プログラム。
（付記８）
前記記憶部を参照して、前記端末装置にて認識したＳＩＭ情報が、記憶している前記ＳＩＭ情報と異なると前記管理装置により判定されると、パスワード情報の入力を受け付ける、
付記５〜７のいずれか一項に記載の登録処理プログラム。
（付記９）
管理装置からリモートデータ消去サービスの提供を受ける端末装置にＳＩＭを登録する処理をコンピュータが実行する登録処理方法であって、
前記管理装置との通信に係るＳＩＭ情報と解除パスワード情報とを記憶している記憶部を参照して、前記端末装置にて認識したＳＩＭ情報が、記憶している前記ＳＩＭ情報と異なると判定されると、前記端末装置をロックする処理と、
前記端末装置をロックした後にパスワード情報の入力を受け付ける処理と、
受け付けた前記パスワード情報が、記憶している前記解除パスワード情報と同一であると判定されると、前記認識したＳＩＭ情報を前記記憶部に登録する処理と、
を含む登録処理方法。
（付記１０）
受け付けた前記パスワード情報が、記憶している前記パスワード情報と同一であると判定されると、前記端末装置のロックを解除する、
付記９に記載の登録処理方法。
（付記１１）
前記認識したＳＩＭ情報が、前記記憶部に記憶している複数の前記ＳＩＭ情報のいずれとも異なると判定されると、パスワード情報の入力を受け付ける、
付記９又は１０に記載の登録処理方法。
（付記１２）
前記記憶部を参照して、前記端末装置にて認識したＳＩＭ情報が、記憶している前記ＳＩＭ情報と異なると前記管理装置により判定されると、パスワード情報の入力を受け付ける、
付記９〜１１のいずれか一項に記載の登録処理方法。
【符号の説明】
【００９８】
１０  端末装置
１１  通信モジュール
１２  ＣＰＵ
１３  ＰＣＨ
１４  ＥＣ
１５  ＨＤＤ
１６  ＵＳＢバススイッチ
１７  ディスプレイ
１８  電源
１９  バッテリ
２０  管理サーバ
３０  ＳＭＳサーバ
６１  受付部
６２  判定部
６３  登録部
６４  通信部
６５  ロック制御部
６６  データ消去制御部
６７  サービス有効化部
６８  記憶部
６９  登録処理プログラム
１１０  ＳＩＭスロット
１２０  ＳＩＭカード
【図１】
2018148498.tif 000003
【図２】
2018148498.tif 000004
【図３】
2018148498.tif 000005
【図４】
2018148498.tif 000006
【図５】
2018148498.tif 000007
【図６】
2018148498.tif 000008
【図７】
2018148498.tif 000009